(57)【要約】【課題】  既製のパレットに中棚を任意の高さに簡易な手段で支持させ、中棚のレイアウトを自由に変更可能とし、パレットの保管スペースを有効に活用できるようにして、物品の保管のための経費をより安価に抑えると共に、中棚を棚受けに対して容易に載置及び取出できるようにして、物品の出し入れを容易に行えるようにする。【解決手段】  パレット２の支柱４Ａ，４Ｂ及び４Ａ′，４Ｂ′間に中棚６を支持する棚受け８，８′を設ける。棚受け８（８′）は、中棚６を支持するレール部１２ｂ（１２ｂ′）を備えた支持杆１２（１２′）と、該支持杆の両端部に配設される固定部材１４Ａ、１４Ｂ（１４Ａ′，１４Ｂ′）とを有する。棚受け８，８′をパレット２の支柱４Ａ，４Ｂ及び４Ａ′，４Ｂ′間に架設し、中棚６をレール部１２ｂ，１２ｂ′上に載置することにより棚受け８，８′に支持させる。【選択図】        図１
2005088999.tif 000002
【特許請求の範囲】
【請求項１】
平面視略矩形状に形成され、その四隅に支柱を有するパレットにおいて、
上記パレットにおける対向辺の両側の支柱間に架設して、中棚を支持するための棚受けを上記支柱の任意の高さに固定可能に設け、
上記棚受けを、中棚を支持するレール部を備えた支持杆と；該支持杆の両端部に配設されるところの上記パレットの支柱に該棚受けを固定するための固定部材と；を有するものとして構成し、
該棚受けをそれぞれパレットの支柱間に架設し、上記中棚を該棚受けにおける支持杆のレール部上に載置することにより、該中棚を棚受けに支持させるようにした、
ことを特徴とするパレット。
【請求項２】
上記棚受けにおける支持杆を、上部の鍔部と、中棚を支持する下部のレール部とを側板で連結することにより断面略コ字状に形成し、
上記棚受けを、それぞれ断面略コ字状をなす支持杆の開口が相対峙するようにパレットの支柱間に架設し、上記パレットに対して中棚を支持杆の開口内に水平方向に挿入して、該支持杆におけるレール部上をスライドさせ、該レール部上に載置することにより、該中棚を棚受けに支持させるようにしたことを特徴とする請求項１に記載のパレット。
【請求項３】
上記棚受けが、支持杆における中棚を挿入する開口側の鍔部の縁部に、荷役手段による中棚の挿入時に、該中棚の挿入先端を上記支持杆のレール部上に上方から載置するための切欠きを有することを特徴とする請求項２に記載のパレット。
【請求項４】
上記棚受けにおける支持杆を、中棚を支持するレール部の外側縁に側板を立設することにより断面略Ｌ字状に形成したことを特徴とする請求項１に記載のパレット。
【請求項５】
上記棚受けの両端に設けた固定部材を、それぞれ略平行する挟持片を有する略コ字状に形成して、
上記挟持片でパレットの支柱を挟持し、該挟持片の一方を貫通する固定ボルトを締め付けて上記支柱に当接させることにより、上記棚受けを支柱の任意の高さに架設可能に構成したことを特徴とする請求項１乃至４のいずれかに記載のパレット。
【請求項６】
支持杆の上記中棚を挿入する開口側において、該開口側から上記略コ字状の固定部材に各支柱を挿着し、支持杆を上記支柱の内側に位置させたことを特徴とする請求項５に記載のパレット。
【請求項７】
上記固定部材が、固定ボルトによる支柱への固定時に挟持片の相互の開きを防止する開き止め部材を有していることを特徴とする請求項５及び請求項６に記載のパレット。
【請求項８】
上記固定部材を、上記パレットの内側から該支柱に当接する第１固定片と、パレットの外側から該支柱に当接する第２固定片とで形成し、上記第１固定片を支持杆に固定すると共に、第１固定片と第２固定片とを支柱から離れた位置で相互に連結していることを特徴とする請求項１乃至４のいずれかに記載のパレット。
【発明の詳細な説明】
【技術分野】
【０００１】
本発明は、倉庫等の保管施設において、商品などの物品を載置して保管するための棚を有する棚式のパレットに関するものである。
【背景技術】
【０００２】
例えば、倉庫等の保管施設において、商品などの物品を載置して保管するための棚を有する棚式のパレットは、特に例示するまでもなく従来より公知のものである。
而して、上記従来のパレットは、保管する品物の形状や寸法に依存するところが多く、したがって、パレットの購入時においては、保管する物品の寸法を測り、予め大きさを決めたうえで購入するパレットを選択する必要があった。
しかしながら、次にそのパレットを使用するにあたって、載置する物品の形状や寸法が変わってしまうと、中棚の位置によってはその物品を載置できなくなる場合が少なからずあり、その場合には新たにその物品を載置できるパレットを購入しなくてはならず、パレットを購入する経費が嵩んでしまうという問題点がある。逆に、既存のパレットが載置したい物品に比して大きすぎると、その物品を上記パレットに載置すると保管施設内の貴重な保管スペースを大きなパレットで無駄に占拠されてしまうことになり、また、大きなパレットを有効に活用するため、該パレットに数多くの物品を下積みしてしまうと、下積みした物品が荷痛みしてしまうことも考えられる。
さらに、下積みできない物品を載置する場合、その物品をパレットに平置きにしなくてはならないため、多くのパレットを必要とするばかりでなく、それらのパレットを保管する広い保管スペースが必要となり、物品を保管するための経費が大きな負担になってしまうという問題点も指摘されている。
【発明の開示】
【発明が解決しようとする課題】
【０００３】
叙上に鑑みて、本発明の技術的課題は、既製のパレットに中棚を任意の高さに簡易な手段で支持させることができるようにすることにより、中棚のレイアウトを自由に変更可能とし、パレットの保管スペースを有効に活用できるようにして、延いては、物品の保管のための経費をより安価に抑えることができるようにすると共に、棚受けに対して中棚を容易に載置及び取出できるようにすることにより、物品の出し入れを容易に行うことができるようにすることにある。
また、本発明の他の技術的課題は、上記棚受けに、フォークリフト等の荷役手段から直接中棚を載置できるようにして、該荷役手段による中棚の載置をより容易に行うことができるようにすることにある。
【課題を解決するための手段】
【０００４】
上記課題を解決するための本発明は、平面視略矩形状に形成され、その四隅に支柱を有するパレットにおいて、上記パレットにおける対向辺の両側の支柱間に架設して、中棚を支持するための棚受けを上記支柱の任意の高さに固定可能に設け、上記棚受けを、中棚を支持するレール部を備えた支持杆と；該支持杆の両端部に配設されるところの上記パレットの支柱に該棚受けを固定するための固定部材と；を有するものとして構成し、該棚受けをそれぞれパレットの支柱間に架設し、該棚受けにおける支持杆のレール部上に上記中棚を載置することにより、該中棚を棚受けに支持させるようにしたことを特徴とするものである。
【０００５】
本発明のパレットの好ましい実施形態においては、上記棚受けにおける支持杆を、上部の鍔部と、中棚を支持する下部のレール部とを側板で連結することにより断面略コ字状に形成し、上記棚受けを、それぞれ断面略コ字状をなす支持杆の開口が相対峙するようにパレットの支柱間に架設し、上記パレットに対して中棚を支持杆の開口内に水平方向に挿入して、該支持杆におけるレール部上をスライドさせ、該レール部上に上記中棚を載置することにより、該中棚を棚受けに支持させるようにすることができ、この場合、上記棚受けを、支持杆における中棚を挿入する開口側の鍔部の縁部に、荷役手段による中棚の挿入時に、該中棚の挿入先端を上記支持杆のレール部上に上方から載置するための切欠きを有するものとすれば、フォークリフト等の荷役手段から上記支持杆のレール部上に直接中棚を載置でき、該荷役手段による中棚の載置をより容易に行うことができる点で有効である。
また、本発明の他の好ましい実施形態においては、上記棚受けにおける支持杆を、中棚を支持するレール部の外側縁に側板を立設することにより断面略Ｌ字状に形成することができる。
【０００６】
更に、上記棚受けの両端に設けた固定部材を、それぞれ略平行する挟持片を有する略コ字状に形成して、該挟持片でパレットの支柱を挟持し、該挟持片の一方を貫通する固定ボルトを締め付けて上記支柱に当接させることにより、上記棚受けを支柱の任意の高さに架設可能に構成することができ、この場合、支持杆の上記中棚を挿入する開口側において、該開口側から略コ字状の固定部材に各支柱を挿着し、支持杆を上記支柱の内側に位置させるのが適切である。また、上記固定部材が、固定ボルトによる支柱への固定時に挟持片の相互の開きを防止する開き止め部材を有していることが好ましい。
【０００７】
更に、上記固定部材を、上記パレットの内側から該支柱に当接する第１固定片と、パレットの外側から該支柱に当接する第２固定片とで形成し、上記第１固定片を支持杆に取付けると共に、第１固定片と第２固定片とを支柱から離れた位置で相互に連結しているものとすることができる。
【発明の効果】
【０００８】
上記構成を有するパレットは、中棚を支持するための棚受けを、上記パレットにおける支柱の任意の高さに簡易な手段で支持できるようにしているので、中棚間のレイアウトを自由に変更することが可能になり、結果的にパレットの保管スペースを有効に活用することができると共に、物品の保管のための経費をより安価に抑えることができ、また、物品の下積みによる荷痛み等を防止することができる。
しかも、上記棚受けは、中棚を該棚受けにおける支持杆のレール部上に対して容易に載置及び取出ができるようにしているので、中棚上に載置した物品を容易に出し入れすることが可能になる。
【０００９】
更に、フォークリフト等の荷役手段から直接棚受けの支持杆におけるレール部上に中棚を載置することができるように構成しているので、上記荷役手段による中棚の載置をより容易に行うことができる。
【発明を実施するための最良の形態】
【００１０】
本発明に係るパレットを実施するための最良の形態を、図面に基づいて詳細に説明するに、図１乃至図３は、本発明に係るパレットの全体的な構成を示している。
このパレット２は、図１乃至図３からわかるように、平面視略矩形状のベース棚３の四隅に支柱４Ａ，４Ｂ，４Ａ′，４Ｂ′を立設することにより形成されており、該パレット２の左右両側における対向辺の両端に位置する支柱４Ａ，４Ｂ及び４Ａ′，４Ｂ′間には、それぞれ中棚６を支持するための棚受け８，８′を架設している。なお、上記棚受け８，８′は、図１において、該棚受け８，８′に平行する鉛直面に対して面対称であるため、以下の説明においては、特に必要がなければ左側の棚受け８に関連する構成についてのみ説明することとし、右側の棚受け８′に関連する構成については、その符号に「′」を付するものとして、その説明を省略する。
上記パレット２の背面側に位置する両支柱４Ｂ，４Ｂ′間の間隔は、図１に示すように、正面側に位置する両支柱４Ａ，４Ａ′間の間隔よりも若干幅を狭くして配設されている。これは、上記中棚６の挿入先端を上記支柱４Ｂ，４Ｂ′に当接させることにより、該中棚６を該パレット２の背面で停止させるためのものである。なお、パレット２の背面側の支柱４Ｂ，４Ｂ′は、必ずしもそれらの間隔を狭くして配設する必要はなく、正面側に位置する両支柱４Ａ，４Ａ′間の間隔と同幅にしても良い。
更に、上記パレット２の左右両側の上下端部には、それぞれ該パレット２を載積するための略三角形状の嵌合枠１０Ａ，１０Ａ′及び１０Ｂ，１０Ｂ′が付設されており、該パレット２の下端の嵌合枠１０Ｂ，１０Ｂ′を、もう一方のパレット２における上端の嵌合枠１０Ａ，１０Ａ′に嵌合させることにより、複数のパレット２を載積できるようにしている。
【００１１】
上記棚受け８は、図４（ａ）〜（ｅ）に詳細に示すように、断面略コ字状に形成した支持杆１２の両端部に、上記パレット２の前後の支柱４Ａ，４Ｂに当該棚受け８を固定せしめる固定部材１４Ａ，１４Ｂを溶接等により固設することにより形成したもので、両棚受け８，８′を、それぞれ断面コ字状をなす支持杆１２，１２′の開口側が相対峙するようにパレット２の支柱４Ａ，４Ｂ及び４Ａ′，４Ｂ′間に架設し、上記パレット２に対して水平方向に中棚６を支持杆１２，１２′の開口内に挿入することにより、該中棚６を棚受け８，８′に支持させるようにしている。
【００１２】
上記支持杆１２は、上部の鍔部１２ａと中棚６を支持する下部のレール部１２ｂとを側板１２ｃで連結して断面略コ字状に形成することにより構成されており、該支持杆１２における上記中棚６を挿入する開口側の鍔部１２ａの縁部には、フォークリフト等の荷役手段による中棚６の挿入時に、該中棚６の挿入先端を上記支持杆１２のレール部１２ｂ上に上方から直接載置させるための切欠き１２ｄを形成している。
【００１３】
上記固定部材１４Ａ，１４Ｂは、それぞれ略平行する一対の挟持片１４ａ，１４ｂを有する略コ字状に形成されており、それらの挟持片１４ａ，１４ｂ間に上記パレット２における支柱４Ａ，４Ｂを挟持し、一方の挟持片１４ａに設けたボルト穴１４ｃに、固定ボルト１６を螺通して締め付け、上記支柱４Ａ，４Ｂに該固定ボルト１６の先端を当接させることにより、上記棚受け８を支柱４Ａ，４Ｂの任意の高さに架設できるようにしている。
また、上記棚受け８は、中棚６を挿入する開口側において、コ字状に形成した固定部材１４Ａ，１４Ｂの挟持片１４ａ，１４ｂを各支柱４Ａ，４Ｂにその開口側から挿着することにより、支持杆１２が上記支柱４Ａの内側に位置するように構成している。
【００１４】
上記中棚６は、図１からわかるように、棚受け８，８′に支持されうる程度の幅と、パレット２の前面から突出しない程度の奥行き、並びに上記棚受け８の支持杆１２における上部の鍔部１２ａと下部のレール部１２ｂとの間に挿入できうる程度の厚さを有する略矩形状の枠体６ａを備え、該枠体６ａの中間には、該中棚６に載置する物品を支持するための中間枠６ｂが設けられている。
なお、上記中棚６は、上述した構成のものに限定されず、中棚６に載置する物品の大きさや重量等に応じて、適宜の形状のものとすることができる。
【００１５】
ここで、本実施例におけるパレット２では、上述したように、パレット２の背面側に位置する両支柱４Ｂ，４Ｂ′間の間隔を若干狭くして配設しているため、上記棚受け８における支持杆１２の両端に設けた固定部材１４Ａ，１４Ｂは、正面側に位置する固定部材１４Ａは前方に開口させ、背面側に位置する固定部材１４Ｂは内側に開口させている。この固定部材１４Ａ，１４Ｂの開口する方向は、上記パレット２における支柱４Ａ，４Ｂ，４Ａ′，４Ｂ′の位置に応じて適宜変更して形成することができる。
【００１６】
上記構成を有するパレット２は、中棚６を支持するための棚受け８，８′を、上記パレット２における支柱４Ａ，４Ｂ，４Ａ′，４Ｂ′の任意の高さに簡易な手段で支持できるようにしているので、必要に応じて複数の中棚６を設けたり、さらにはそれらの中棚６間のレイアウトを自由に変更することが可能になり、結果的にパレット２の保管スペースを有効に活用することができると共に、物品保管のための経費をより安価に抑えることができ、また、物品の下積みによる荷痛み等を防止することができる。
しかも、上記棚受け８，８′は、中棚６を該棚受け８，８′におけるレール部１２ｂ，１２ｂ′上をスライドさせることにより、該中棚６を挿入し又は引き出しすることができるようにしているので、中棚６上に載置した物品を容易に出し入れすることが可能になる。
【００１７】
更に、上記棚受け８が、支持杆１２における上記中棚６を挿入する開口側の鍔部１２ａの縁部に、荷役手段による中棚６の挿入時に、該中棚６の挿入先端を上記支持杆１２のレール部１２ｂ上に載置させるための切欠き１２ｄを有するものとして構成することにより、フォークリフト等の荷役手段から直接棚受け８の支持杆１２におけるレール部１２ｂ上に中棚６を載置することができ、上記荷役手段による中棚６の載置をより容易に行うことができる。
【００１８】
上記パレットにおける棚受けの構成は、前記第１実施例のものに限定されず、例えば、図５に示す第２実施例の棚受け２８，２８′ように構成することができる。なお、この第２実施例の棚受け２８，２８′においても、図５において、該棚受け２８，２８′に平行する鉛直面に対して面対称であるため、以下の説明においては、特に必要がなければ左側の棚受け２８に関連する構成についてのみ説明することとし、右側の棚受け２８′に関連する構成については、その符号に「′」を付するものとして、その説明を省略する。
この第２実施例のパレットにおける棚受け２８は、支持杆３２におけるレール部３２ｂの外側縁に、中棚６の横ずれを防止する側板３２ｃを立設することにより断面略Ｌ字状に形成している。このように構成すると、上記中棚６をパレット２に対して載置し、あるいはパレット２から取出するに際し、その位置に制限されることがなく、上記荷役手段による中棚６の載置及び取出をより容易に行うことができる。
ここで、この第２実施例のその他の構成及び作用は、実質的に前記第１実施例と同様であるから、同一部部または相当部分に同一符号を付して、それらの説明を省略する。
【００１９】
また、上記第１及び第２実施例のパレットのように、棚受けの固定部材が略コ字状に形成されている場合には、図６に示す第３実施例のように、棚受けの各固定部材に、固定ボルトによる支柱への固定の際に挟持片の間が開くのを防止する開き止め部材を設けることができる。
具体的に、この第３実施例は、棚受け４０が、図６（ａ）〜（ｃ）に示すように、略Ｌ字状に形成した支持杆４１と、該支持杆４１の一端側に設けた中棚挿入側の固定部材４２と、支持杆４１の他端側に設けたパレット奥側に位置する固定部材４３とを有し、各固定部材４２，４３は、それぞれ平行な一対の挟持片４２ａ，４２ｂ，４３ａ，４３ｂを有する略コ字状に形成されている。そして、各固定部材４２，４３には、図６（ａ）に示すように、それぞれの挟持片間に固定された支柱４Ａ，４Ｂよりも挟持片の開放端側に、上記開き止め部材４４，４５が支柱４Ａ，４Ｂと接触しないように設けられている。なお、図６（ａ），（ｂ）は、左側が中棚の挿入側としてあらわされている。
【００２０】
この第３実施例に係るパレットの棚受け４０は、上記固定部材４２，４３は、いずれも、棚受け４０に中棚が挿入される方向とは反対の方向に開口していて、各挟持片のうち、棚受け４０の設置時にパレットの外方側に位置する挟持片４２ａ，４３ａには、支柱固定用の固定ボルト４６，４７がそれぞれ螺挿されている。また、固定部材４２は、固定ボルト４６が螺挿されていない挟持片４２ｂが、溶接等により支持杆４１の側板４１ａに取り付けられることにより該支持杆４１に固定され、一方、固定部材４３は、固定ボルト４７が螺挿されている挟持片４３ａが、支持杆４１におけるパレットの奥側に位置するに端部に溶接等により取り付けられることにより該支持杆４１に固定されている。さらに、上記挟持片４２ｂ以外の各挟持片４２ａ，４３ａ，４３ｂは、支柱４Ａ，４Ｂの幅よりも十分に長く形成されている。
【００２１】
上記開き止め部材４４は、挟持片４２ａの外方側から該挟持片４２ａをほぼ水平に貫通する開き止め用ボルト４４ａと、該ボルト４４ａと螺合するナット４４ｂとで構成されている。上記ナット４４ｂは、上記支持杆４１の側板４１ａの外方側における上記開き止め用ボルト４４ａに対応する位置に、溶接によって直接固定されている。なお、支持杆４１の側板４１ａのナット４４ｂのねじ穴に対応する部分には、開き止め用ボルト４４ａのねじ杆とほぼ同径の貫通孔４１ｂが設けられている。
一方、開き止め４５は、挟持片４３ａの外方側から挟持片４３ａ，４３ｂをほぼ水平に貫通する開き止め用ボルト４５ａと、該ボルト４５ａと螺合するナット４５ｂとで構成されている。上記ナット４５ｂは、挟持片４３ｂの外方側であって、上記開き止め用ボルト４５ａが挟持片４３ｂを貫通する位置に、該挟持片４３ｂに直接溶接されている。
【００２２】
上記構成を有する棚受け４０は、上記第１及び第２実施例と同様にパレットの支柱に取り付けて使用する。このとき、上記開き止め用ボルト４４ａ，４５ａとナット４４ｂ，４５ｂとをそれぞれ螺合することにより、固定ボルト４６，４７の支柱４ａ，４ｂへの強い締め付けによって各挟持片間の距離が開く方向に力が作用した場合でも、支柱固定部材４２の挟持片４２ａ，４２ｂ、及び固定部材４３の挟持片４３ａ，４３ｂのそれぞれの挟持片間の開きが簡単且つ確実に防止されるため、棚受けの支柱４Ａ，４Ｂへの固定をより強固に行うことができる一方で、棚受けの高さの変更も容易である。
【００２３】
上記第１及び第２、第３実施例のパレットは、棚受けの固定部材の構成を、一対の挟持片を有する略コ字状に形成しているが、図７に示す第４実施例のように、棚受けの固定部材を一対の固定片により構成したものとしてもよい。
具体的に、この第４実施例は、図７（ａ）〜（ｃ）に示すように、棚受け５０の固定部材５２，５３を、略Ｌ字状に形成した支持杆５１に固定された一定幅を有する第１固定片５４，５５と、該第１固定片５４，５５とほぼ同幅で、且つ第１固定片５４，５５と連結される第２固定片５６，５７と、対応する第１固定片と第２固定片を相互に連結する連結ボルト５８，５９とで構成している。なお、図７（ａ），（ｂ）は、左側が中棚の挿入側としてあらわされている。
【００２４】
上記第１固定片５４，５５は、棚受け５０をパレットの支柱４Ａ，４Ｂに設置した際にパレットの内側から支柱４Ａ，４Ｂに当接するもので、支柱の内側の半部を収容する凹部５４ａ，５５ａと、該凹部５４ａ，５５ａの開口側の両端に設けられた第２固定片５６，５７との連結に供する板状の連結部５４ｂ，５５ｂと、該連結部５４ｂ，５５ｂのほぼ中央に設けられた上記連結ボルト５８，５９用のねじ孔（図示せず）と、上記第２固定片５６，５７との対向面と相反する側に固定された、連結ボルト５８、５９と螺合するナット５４ｃ，５５ｃとを有している。
一方、第２固定片５６，５７は、棚受け５０を支柱４Ａ，４Ｂに設置した際にパレットの外側から支柱４Ａ，４Ｂに当接するもので、支柱の外側の半部を収容する凹部５６ａ，５７ａと、該凹部５６ａ，５７ａの開口側の両端に設けられた第１固定片５４，５５との連結に供する板状の連結部５６ｂ，５７ｂと、該連結部５６ｂ，５７ｂのほぼ中央に設けられた上記連結ボルト５８，５９用のねじ孔（図示せず）とを有している。
【００２５】
上記構成を有するパレットは、棚受け５０の固定部材５２，５３の各第１固定片５４，５５を支柱４Ａ，４Ｂの内側から当接させた上で、対応する第２固定片５６，５７を支柱４Ａ，４Ｂの外側から当接させ、連結ボルト５８，５９を第２固定片５６，５７の外方側からねじ孔５６ｃ，５７ｃに挿入する。そして、第１固定片５４，５５と第２固定片５６，５７とを、各凹部の両脇で連結して相互に締め付けることにより、棚受け５０を所望の高さに簡単に固定することができる。また、この場合、第１及び第２固定片の各凹部が支柱４Ａ，４Ｂと面で接触し各固定片と支柱との間の摩擦が大きくなるため、棚受けの耐荷重性が向上するだけでなく、固定用ボルトによってパレットの支柱を傷つけないという利点がある。
【００２６】
上記第４実施例に係る棚受け５０は、第１固定片と第２固定片との連結を２本の連結ボルトを使用して行い、支柱の両脇でボルト締めする構成としているが、図８に示す第５実施例のように、第１固定片及び第２固定片の対応する一端側に相互に係合する係合手段をそれぞれ設け、第１固定片及び第２固定片の他端側のみを１本の連結ボルトによって連結し、ボルト締めする構成としてもよい。なお、図８は、左側が中棚の挿入側としてあらわされている。
【００２７】
即ち、この第５実施例に係る棚受け６０の固定部材６２，６３は、支持杆６１に固定された第１固定片６４，６５を、支柱の内側の半部を収容する凹部６４ａ，６５ａと、該凹部６４ａ，６５ａの開口側の一端に設けられた上記係合手段の一部を構成する係合突部６４ｂ，６５ｂと、上記第２固定片６６，６７との連結ボルト６８，６９による連結を行う板状の連結部６４ｃ，６５ｃと、該連結部６４ｃ，６５ｃにおける上記第２固定片６６，６７との対向面と相反する側に固定された、連結ボルト６８、６９と螺合するナット６４ｄ，６５ｄとで構成している。
また、第２固定片６６，６７を、支柱の外側の半部を収容する凹部６６ａ，６７ａと、該凹部６６ａ，６７ａの開口側の一端側に設けられ、上記第１固定片６４，６５の係合突部６４ｂ，６５ｂに引っかかるように折り曲げられた係合するフック部６６ｂ，６７ｂと、凹部６６ａ，６７ａの開口側の他端側に設けられ、上記第１固定片６４，６５の連結部６４ｃ，６５ｃと連結ボルト６８，６９によって連結される板状の連結部６６ｃ、６７ｃとで構成している。
【００２８】
上記構成を有する棚受け６０は、各第１固定片６４，６５を支柱の内側から当接させた上で、対応する第２固定片６６，５６を、フック部６６ｂ，６７ｂを第１固定片の６４，６５の係合突部６４ｂ，６５ｂに引っかけた状態で支柱４Ａ，４Ｂの外側から当接させる。そして、各第１固定片６４，６５と第２固定片６６，６７とをそれぞれの連結部において一本の連結ボルト６８，６９でそれぞれ相互に連結して締め付けることにより、梃子の原理によって棚受け第１及び第２固定片が支柱をしっかり挟み込むため、支柱に簡単に固定することができる。
【００２９】
なお、上記第３、第４及び第５実施例は、パレットの左側に取り付ける棚受けについてのみ説明し、右側に取り付けるものについては説明を省略しているが、右側に取り付ける棚受けについては、左側に取り付けるものと固定部材や支持杆等が対称な位置になる程度で、基本的な構成は同じである。
また、上述の第１乃至第５実施例のいずれの実施例においても、設置される中棚に、パレット内における中棚の上部スペースや下部のスペースを仕切る板状あるいは枠状等、任意の構成の間仕切りを設けることができる。
【図面の簡単な説明】
【００３０】
【図１】本発明の第１実施例に係るパレットの中棚分離状態の斜視図である。
【図２】同正面図である。
【図３】同左側面図である。
【図４（ａ）】棚受け（左）の平面図である。
【図４（ｂ）】同左側面図である。
【図４（ｃ）】同右側面図である。
【図４（ｄ）】同正面図である。
【図４（ｅ）】同背面図である。
【図５】本発明の第２実施例に係るパレットの中棚分離状態の斜視図である。
【図６（ａ）】本発明の第３実施例に係るパレットの棚受け（左）の平面図である。
【図６（ｂ）】同正面図である。
【図６（ｃ）】同左側面図である。
【図７（ａ）】本発明の第４実施例に係るパレットの棚受け（左）の平面図である。
【図７（ｂ）】同正面図である。
【図７（ｃ）】同左側面図である。
【図８】本発明の第４実施例に係るパレットの棚受け（左）の平面図である。
【符号の説明】
【００３１】
２    パレット
４Ａ，４Ｂ，４Ａ′，４Ｂ′  支柱
６    中棚
８，８′，２８，２８′，４０，５０，６０    棚受け
１２，１２′，３２，３２′，４１，５１，６１    支持杆
１２ａ，１２ａ′  鍔部
１２ｂ，１２ｂ′，３２ｂ，３２ｂ′  レール部
１２ｃ，１２ｃ′，３２ｃ，３２ｃ′，４１ａ  側板
１２ｄ，１２ｄ′  切欠き
１４Ａ，１４Ｂ，１４Ａ′，１４Ｂ′，４２，４３，５２，５３，６２，６３  固定部材
１４ａ，１４ｂ，１４ａ′，１４ｂ′，４２ａ，４３ｂ  挟持片
１６，１６′，４６，４７    固定ボルト
４４，４５  開き止め部材
５４，５５，６４，６５  第１固定片
５６，５７，６６，６７  第２固定片
【図１】
2005088999.tif 000003
【図２】
2005088999.tif 000004
【図３】
2005088999.tif 000005
【図４（ａ）】
2005088999.tif 000006
【図４（ｂ）】
2005088999.tif 000007
【図４（ｃ）】
2005088999.tif 000008
【図４（ｄ）】
2005088999.tif 000009
【図４（ｅ）】
2005088999.tif 000010
【図５】
2005088999.tif 000011
【図６（ａ）】
2005088999.tif 000012
【図６（ｂ）】
2005088999.tif 000013
【図６（ｃ）】
2005088999.tif 000014
【図７（ａ）】
2005088999.tif 000015
【図７（ｂ）】
2005088999.tif 000016
【図７（ｃ）】
2005088999.tif 000017
【図８】
2005088999.tif 000018